(57)【要約】【課題】情報漏洩を防止することのできる情報保護システム１Ｂ、ハンズフリーシステム１およびハンズフリー装置３を提供する。【解決手段】携帯電話機２は、ＩＤと、ＩＤと関連付けられた名前と電話番号とを含む電話番号データベースの情報を格納するメモリ３２と、メモリ３２の情報を、ハンズフリー装置３に出力する通信ＩＦ部４０と、ハンズフリー装置３から入力されたＩＤからＩＤと関連付けられた電話番号データを検索し、回線接続を行う電話通信部３１とを有し、ハンズフリー装置３は、回線接続を行う相手の名前を指定する操作入力部１９と、携帯電話機２の音声入出力機能を代替する音声入出力部１５、１６と、入力された電話番号データベースから名前データのみを選択しＩＤとともに格納するメモリ１２と、操作入力部１９が指定した名前と関連付けられたＩＤを検索し、携帯電話機２に出力する通信ＩＦ部１１とを有する。【選択図】  図３
2009284173.tif 000002
【特許請求の範囲】
【請求項１】
互いに接続可能な第１の電子機器と第２の電子機器とからなる情報保護システムであって、
前記第１の電子機器は、
ＩＤと、前記ＩＤと関連付けられた情報漏洩を防止したい項目を含む複数の項目のデータ、とから構成されたデータベースの情報を格納する第１の情報格納部と、
前記ＩＤと前記ＩＤと関連付けられた前記データを、前記第２の電子機器に出力する第１の出力部と、
前記第２の電子機器から入力された前記ＩＤから前記ＩＤと関連付けられた前記情報漏洩を防止したい項目の前記データを検索する第１の検索部と、
前記第１の検索部が検索した前記データを用いて予め指定された処理を行う処理部と、を有し、
前記第２の電子機器は、
前記第１の出力部から前記ＩＤと前記データとが入力される入力部と、
前記入力部から入力された前記データから、前記情報漏洩を防止したい項目ではない項目の前記データのみを選択する選択部と、
前記選択部で選択された前記データと、前記選択部で選択された前記データと関連付けられた前記ＩＤとを格納する第２の情報格納部と、
前記情報漏洩を防止したい項目ではない項目の前記データの中から、一の前記データが指定される指定部と、
前記指定部で指定された前記データと関連付けられた前記ＩＤを検索する第２の検索部と、
前記第２の検索部が検索した前記ＩＤを前記第１の電子機器に出力する第２の出力部と、を有することを特徴とする情報保護システム。
【請求項２】
互いに接続された携帯電話機とハンズフリー装置とからなるハンズフリーシステムであって、
前記携帯電話機は、
ＩＤと、前記ＩＤと関連付けられた少なくとも名前および電話番号を含む複数の項目のデータ、とから構成された電話番号データベースの情報を格納する第１の情報格納部と、
前記ＩＤと、少なくとも前記名前のデータを含む前記データを、前記ハンズフリー装置に出力する第１の出力部と、
前記ハンズフリー装置から入力された前記ＩＤから前記ＩＤと関連付けられた電話番号の前記データを検索する第１の検索部と
前記第１の検索部が検索した前記電話番号のデータを用いて電話回線接続を行う電話通信部と、を有し、
前記ハンズフリー装置は、
前記携帯電話機が前記電話回線接続を行う相手の名前が指定される指定部と、
前記携帯電話機の音声入出力機能を代替する音声入出力部と
前記第１の出力部から前記ＩＤと前記データとが入力される入力部と、
前記入力部から入力された前記データから、名前データのみを選択する選択部と、
前記選択部で選択された前記名前データと、前記選択部で選択された前記名前データと関連付けられた前記ＩＤとを格納する第２の情報格納部と、
前記指定部が指定した名前と関連付けられた前記ＩＤを検索する第２の検索部と、
前記第２の検索部が検索した前記ＩＤを、前記携帯電話機に出力する第２の出力部と、を有することを特徴とするハンズフリーシステム。
【請求項３】
接続された携帯電話機が電話回線接続を行う相手の名前が指定される指定部と、
前記携帯電話機の音声入出力機能を代替する音声入出力部と
前記携帯電話機が出力した、ＩＤと前記ＩＤと関連付けられた少なくとも名前および電話番号を含む複数の項目のデータとから構成された電話番号データベースの情報が入力される入力部と、
前記入力部から入力された前記データから、名前データのみを選択する選択部と、
前記入力部から入力された前記ＩＤと、前記選択部で選択された前記ＩＤと関連付けられた前記名前データとを格納する情報格納部と、
前記指定部が指定した名前と関連付けられた前記ＩＤを検索する検索部と、
前記検索部が検索した前記ＩＤを、前記携帯電話機に出力する出力部と、を有するハンズフリー装置
【請求項４】
互いに接続された携帯電話機とハンズフリー装置とを具備したハンズフリーシステムであって、
前記携帯電話機は、
ＩＤと前記ＩＤと関連付けられた少なくとも名前および電話番号を含む複数の項目のデータとから構成された電話番号データベースの情報を格納する第１の情報格納部と、
前記ＩＤと前記データを、前記ハンズフリー装置に出力する第１の出力部と、
前記ハンズフリー装置から入力された前記ＩＤから前記ＩＤと関連付けられた電話番号データを検索する第１の検索部と、
前記第１の検索部が検索した前記電話番号データを用いて電話回線との接続を行う電話通信部とを有し、
前記ハンズフリー装置は、
前記携帯電話機の音声入出力機能を代替し、かつ前記携帯電話機が電話回線接続を行う相手の名前が音声入力される音声入出力部と、
前記第１の出力部から電話番号データベースの情報が入力される入力部と、
前記データから、名前データのみを選択する選択部と、
前記選択部で選択された前記名前データを音素列である名前音素列データに変換する音素列変換部と、
前記音素列変換部で変換された前記名前音素列データと、前記音素列変換部で変換された前記名前音素列データと関連付けられた前記ＩＤとを格納する第２の情報格納部と、
前記指定部から入力された音声データから前記名前音素列データを認識する音声認識部と、
前記音声認識部が認識した前記名前音素列データと関連付けられた前記ＩＤを検索する検索部と、
前記検索部が検索した前記ＩＤを前記携帯電話機に出力する第２の出力部と、を有する、ことを特徴とするハンズフリーシステム。
【請求項５】
接続された携帯電話機の音声入出力機能を代替し、かつ前記携帯電話機が電話回線接続を行う相手の名前が音声入力される音声入出力部と、
前記携帯電話機の第１の情報格納部に格納された、ＩＤと前記ＩＤと関連付けられた少なくとも名前および電話番号を含む複数の項目のデータとから構成された電話番号データベースの情報が入力される入力部と、
前記入力部から入力された前記電話番号データベースの情報から、名前データのみを選択する選択部と、
前記選択部で選択された前記名前データを音素列である名前音素列データに変換する音素列変換部と
前記音素列変換部で変換された前記名前音素列データと、前記名前音素列データと関連付けられた前記ＩＤとを格納する第２の情報格納部と、
前記音声入出力部から入力された音声データから前記名前音素列データを認識する音声認識部と、
前記音声認識部が認識した前記名前音素列データと関連付けられた前記ＩＤを検索する検索部と、
前記検索部が検索した前記ＩＤを前記携帯電話機に出力する出力部と、を有するハンズフリー装置
【発明の詳細な説明】
【技術分野】
【０００１】
本発明は、情報漏洩を防止した情報保護システム、ハンズフリーシステムおよびハンズフリー装置に関し、特に、ＩＤを用いデータベースの情報漏洩を防止した情報保護システム、ハンズフリーシステムおよびハンズフリー装置に関する。
【背景技術】
【０００２】
近年の情報処理技術の進歩および記憶媒体の大容量化に伴い、多くの情報を携帯機器で容易に持ち歩くことができるようになっている。これに伴い情報の漏洩が大きな問題となっている。例えば、携帯電話機においては、ユーザは、名前、電話番号、および住所等からなる、いわゆる電話番号データベースをメモリに保存しており、この電話番号データベースの情報の漏洩を図るために様々な対策が講じられている。
【０００３】
一方、自動車等の車室内において、ユーザが携帯電話機を把持せずとも、携帯電話機を使用して、いわゆるハンズフリー通話を可能とするハンズフリー装置が知られている。ユーザが、ハンズフリー装置を用いて接続された携帯電話機の電話発信を行う際には、携帯電話機からハンズフリー装置に転送された電話番号データベースの情報を用いる。すなわち、図１０に示すように、公知のハンズフリーシステム１Ｅにおいては、携帯電話機１０２のメモリ１３２に記憶されていた電話番号データベースの情報が、ハンズフリー装置１０３のメモリ１１２に転送され保存されている。
【０００４】
このため、車の盗難等が発生した場合には、車に搭載されているハンズフリー装置１０３のメモリ１１２に保存されている電話番号データベースの情報が漏洩し悪用される可能性があった。
【０００５】
ここで、ハンズフリー装置のメモリをフラッシュメモリのような不揮発性メモリではなく、揮発性メモリを用いることで、情報漏洩を防止することも考えられる。例えば、車載のハンズフリー装置であれば、車のエンジンが起動している間のみハンズフリー装置に電源が供給され、エンジンを停止すると、ハンズフリー装置のメモリ内容は消去される形態である。しかし、上記の形態のハンズフリーシステムでは、使用を開始する度に、携帯電話機からハンズフリー装置に電話番号データベースを転送する必要があり、使用者の利便性が良くはないことがあった。
【０００６】
一方、特開２００６−５０３８１号公報には、移動体通信端末である携帯電話機と接続された外部リモート装置であるハンズフリー装置を用いて電話発信する際に、携帯電話機の短縮ダイヤルに割り当てられた発信先すなわち電話番号と、外部リモート装置の特定のキーを対応させておくことが開示されている。しかし、携帯電話機の短縮ダイヤルに登録できる電話番号の数は多くはなく、ユーザが携帯電話機に登録している電話番号の一部にすぎないため、やはり使用者の利便性が良くはないことがあった
【特許文献１】特開２００６−５０３８１号公報
【発明の開示】
【発明が解決しようとする課題】
【０００７】
本発明は、情報漏洩を防止することのできる情報保護システム、ハンズフリーシステムおよびハンズフリー装置を提供することを目的とする。
【課題を解決するための手段】
【０００８】
本願発明の一態様によれば、互いに接続可能な第１の電子機器と第２の電子機器とからなる情報保護システムであって、第１の電子機器は、ＩＤと、ＩＤと関連付けられた情報漏洩を防止したい項目を含む複数の項目のデータ、とから構成されたデータベースの情報を格納する第１の情報格納部と、ＩＤおよびＩＤと関連付けられたデータを、第２の電子機器に出力する第１の出力部と、第２の電子機器から入力されたＩＤからＩＤと関連付けられた情報漏洩を防止したい項目のデータを検索する第１の検索部と、第１の検索部が検索したデータを用いて予め指定された処理を行う処理部とを有し、第２の電子機器は、第１の出力部からのＩＤとデータとが入力される入力部と、入力部から入力されたデータから、情報漏洩を防止したい項目ではない項目のデータのみを選択する選択部と、選択部で選択されたデータと、選択部で選択されたデータと関連付けられたＩＤとを格納する第２の情報格納部と、情報漏洩を防止したい項目ではない項目のデータの中から、一のデータが指定される指定部と、指定部で指定されたデータと関連付けられたＩＤを検索する第２の検索部と、第２の検索部が検索したＩＤを第１の電子機器に出力する第２の出力部とを有する情報保護システムが提供される。
【発明の効果】
【０００９】
本発明によれば、情報漏洩を防止した情報保護システム、ハンズフリーシステムおよびハンズフリー装置を提供することができる。
【発明を実施するための最良の形態】
【００１０】
＜第１の実施の形態＞
以下、図面を参照して本発明の実施の形態を説明する。  
＜ハンズフリーシステムの構成＞  
最初に、図１から図４を用いて、第１の実施の形態にかかるハンズフリーシステム１について説明する。図１は、携帯電話機２とハンズフリー装置３とを具備した本実施の形態にかかるハンズフリーシステム１の外観を示した外観図であり、図２はハンズフリーシステム１における情報の流れを示す説明図であり、図３は、ハンズフリーシステム１の構成を示す構成図であり、図４はハンズフリーシステム１の携帯電話機２およびハンズフリー装置３の動作の流れを説明するためのフローチャートである。
【００１１】
図１に示すように、ハンズフリーシステム１は、互いに接続可能な携帯電話機２とハンズフリー装置３とを具備している。ここで、携帯電話機２とハンズフリー装置３との接続は、無線接続が好ましく、BluetoothＴＭ（登録商標）方式による無線接続がユーザの利便性の観点から特に好ましい。もちろん、携帯電話機２とハンズフリー装置３との接続は、有線接続であっても差し支えはない。
【００１２】
携帯電話機２は、携帯電話としての通常の機能を有し、ユーザが通話するためのマイク３５およびスピーカ３６と、表示部３８と、操作入力部３９とを有している。一方、ハンズフリー装置３は、携帯電話機２のマイク３５を代替する音声入力部であるマイク１５と、携帯電話機２のスピーカ３６を代替する音声出力部であるヘッドホン形式のスピーカ１６と、表示部１８と、操作入力部１９とを有している。表示部１８は、ユーザが電話発信する相手を選択するためのメニューリストを表示する。ユーザは操作入力部１９を用いて、相手を指定することができる。
【００１３】
なお、後述のように、メニューリストを表示する表示手段はハンズフリー装置３の表示部１８に限られるものではない。すなわち、図１に示したハンズフリー装置３は、ヘッドホンに内蔵されたスピーカ１６とマイク１５が一体化された、いわゆるヘッドセットを用いた携帯型のハンズフリー装置であるが、車搭用のハンズフリー装置においては、表示部１８、音声入力部１５および音声出力部１６を、カーナビゲーション装置等の表示装置および音声入出力部と共用で用いてもよい。また、表示手段としてカーナビゲーション装置のタッチパネル機能を有する表示手段等を用いることで、表示された名前をタッチパネルで選択することも可能である。この場合には、ハンズフリー装置３の表示手段と指定手段が、兼用の装置であり、かつ、ハンズフリー装置３以外の装置を用いているが、その効果は本実施の形態のハンズフリー装置３と同様である。
【００１４】
ここで、図２に示すように、ハンズフリーシステム１の携帯電話機２には、そのメモリ３２に電話番号データベースの情報が格納されている。電話番号データベースには、名前、電話番号、住所等の項目に分類されたデータの集合体が、それぞれのＩＤと関連付けられている。ここで、ＩＤとは、データベースにおける関連付けられたデータの集合体を識別するための標識である。ＩＤは、例えば、数字、アルファベットまたは、数字とアルファベットの組み合わせ等であり、それ自体は特別の意味を有する情報ではない。例えば、図２においてＩＤは、０１からＮの数字である。
【００１５】
そして、例えば、ＩＤが０１のデータ集合体には、名前項目に「東京太郎」というデータが、電話番号項目には「０３−１１１１−１１１１」というデータが、住所項目には、「東京都新宿区新宿ＸＸ―ＸＸ−ＸＸ」というデータが登録されている。そして、同様にＩＤがＮのデータ集合体に至るまで、それぞれのデータ集合体のそれぞれの項目にデータが登録され、電話番号データベースを構成している。もちろん、Ｎ個のデータ集合体のすべての項目にデータが登録されている必要はない。
【００１６】
電話番号データベースの情報はユーザにとり重要な情報であり、漏洩すると悪用される可能性のある情報である。特に、名前データと、その電話番号データとが関連付けられたデータ集合体は、ユーザにとって、漏洩を防止したい情報である。すなわち、名前のみ、あるいは電話番号のみのデータは、両者が関連付けられたデータ集合体と比べると、漏洩しても悪用されにくい。一方、ユーザにとって、電話発信する相手を指定するには名前を基にすることが利便性がよい。
【００１７】
このため、図２に示すように、ハンズフリー装置３は、携帯電話機２から入力された種々の項目のデータが、入力されてきても、選択部（図５参照）において名前のデータおよびＩＤのみを選択し、ハンズフリー装置３のメモリに格納する。すなわち、そしてハンズフリー装置３においては、ＩＤが０１のデータ集合体には、名前項目に「東京太郎」というデータのみが登録され、同様にＩＤがＮのデータ集合体にまで、名前のデータが登録されているだけの、名前データベースとしてメモリ１２に格納する。
【００１８】
次に図３を用いて、ハンズフリーシステム１の構成を説明する。  
ハンズフリーシステム１の携帯電話機２は、電話回線接続のためのアンテナ３０および電話通信部３１と、音声入出力機能であるマイク３５およびスピーカ３６と、音声入出力データを処理する音声処理部３４と、電話番号データベースの情報を格納するメモリ３２と、画像処理部３７と、表示部３８と、操作入力部３９とを有している。さらに、携帯電話機２は、ハンズフリー装置３との接続のための入力部および出力部である無線インターフェイス部４０およびアンテナ４１と、携帯電話機能とハンズフリー装置３との接続機能等を制御する制御部３３とを有している。
【００１９】
ハンズフリーシステム１のハンズフリー装置３は、携帯電話機２との接続のための入力部および出力部である通信インターフェイス部１１およびアンテナ１０と、携帯電話機２の音声入力機能であるマイク３５を代替する音声入力部であるマイク１５と、携帯電話機２の音声出力機能であるスピーカ３６を代替する音声出力部であるスピーカ１６と、音声処理部１４と、画像処理部１７と、表示部１８と、操作入力部１９と、名前データベース情報を格納するメモリ１２と、前記選択部の機能およびハンズフリー機能等を制御する制御部とを有している。
【００２０】
次に図４のフローチャートを用いて、ハンズフリーシステム１の携帯電話機２およびハンズフリー装置３の動作の流れを説明する。図４（Ａ）は、携帯電話機２の動作の流れを、図４（Ｂ）はハンズフリー装置３の動作の流れを示している。
【００２１】
＜ステップＳ１０＞  
第１の電子機器である携帯電話機２が、第２の電子機器であるハンズフリー装置３と、通信インターフェイス部１１、４０を介して、接続される。なお、通信インターフェイス部１１、４０は、ハンズフリー機能のための音声情報の入出力機能に加えて、電話番号データベース等の情報の入力部および出力部としての機能も有している。
【００２２】
＜ステップＳ１１＞  
携帯電話機２は、ハンズフリー装置３と接続されると、第１の情報格納部であるメモリ３２から電話番号データベースの情報を第１の出力部である通信インターフェイス部４０を介してハンズフリー装置３に出力する。なお、ハンズフリー装置３のメモリとして不揮発性メモリを用いることで、過去に接続された携帯電話機２が再度、接続された場合には、更新された情報のみを出力するだけでもよい。
【００２３】
携帯電話機２が、出力する電話番号データベースの情報は、電話番号データベースの情報のすべてでもよいが、ＩＤと、少なくとも名前のデータを含む情報である。
【００２４】
＜ステップＳ２１＞  
ハンズフリー装置３には、携帯電話機２が出力した電話番号データベースの情報が入力部である通信インターフェイス部１１を介して入力される。
【００２５】
＜ステップＳ２２＞  
ハンズフリー装置３の制御部３３の選択部（不図示）は、入力された種々の項目のデータおよびＩＤの中から、名前のデータ、およびＩＤのみを選択する。すなわち、項目「名前」は、情報漏洩を防止したい項目ではないのに対して、電話番号および住所等の項目は、情報漏洩を防止したい項目である。
【００２６】
＜ステップＳ２３＞  
ハンズフリー装置３の制御部１３は、選択部で選択されたＩＤと、ＩＤと関連付けられた名前データとを第２の情報格納部であるメモリ１２に格納する。
【００２７】
＜ステップＳ２４＞  
ユーザが、ハンズフリー装置３を用いて、電話回線接続し相手と会話をするには、まずハンズフリー装置３の指定部である操作入力部１９を用い、表示部１８に表示されたメニューリストである名前リストを元に、指定部である操作入力部１９により相手の名前を指定する（Ｙｅｓ）。ユーザによる名前の指定があるまでハンズフリー装置３は待機状態にある（Ｎｏ）。
【００２８】
＜ステップＳ２５＞  
名前の指定があると、ハンズフリー装置３の第２の検索部である制御部１３の検索部（不図示）は、指定部が指定した名前と関連付けられたＩＤを検索する。例えば、前述の例では、名前「東京太郎」が指定されると、第２の検索部によるＩＤの検索結果として、「０１」が検索される。
【００２９】
＜ステップＳ２６＞  
ハンズフリー装置３の第２の出力部である通信インターフェイス部１１は第２の検索部である制御部１３が検索したＩＤを、第２の出力部である通信ＩＦ部１１を介して、携帯電話機２に出力する。すなわち、前述の例では、ハンズフリー装置３は、ＩＤ「０１」を出力する。
【００３０】
＜ステップＳ１２＞  
携帯電話機３は、ハンズフリー装置２から電話発信をするためのＩＤが入力されるまでは、待機状態にあり（Ｎｏ）、入力がある（Ｙｅｓ）と、ステップＳ１３以降の処理を開始する。
【００３１】
＜ステップＳ１３＞  
携帯電話機２の制御部３３の第１の検索部（不図示）は、ハンズフリー装置３から入力されたＩＤから、そのＩＤと関連付けられた電話番号のデータを検索する。前述の例では、入力されたＩＤ「０１」に対して、検索結果として、電話番号データ「０３−１１１１−１１１１」が検索される。
【００３２】
＜ステップＳ１４＞  
携帯電話機２の、電話通信部３１は、第１の検索部（不図示）が検索した電話番号のデータを用いて電話回線接続、すなわち、電話の発信処理を行う。
【００３３】
もちろん、携帯電話機２とハンズフリー装置３とは接続されており、ハンズフリー装置３は、携帯電話機２の音声入出力部３５、３６を代替する音声入出力部１５、１６を有しているため、ユーザは携帯電話機２を把持せずとも、ハンズフリー装置３の音声入出力部１５、１６を用いて、会話することができる。
【００３４】
＜ステップＳ１５＞  
携帯電話機２はユーザによる会話の終了指示があるまで、電話回線接続を継続する。もちろん、ハンズフリー装置３も同様である。
【００３５】
以上の説明のように、本実施の形態のハンズフリーシステム１においては、ハンズフリー装置３のメモリ１２には、ＩＤと名前のデータしか格納されていない。このために、ハンズフリー装置３が盗難されても、メモリ１２に格納されているデータが悪用される可能性が低い。
【００３６】
次に、図５を用いて、ハンズフリーシステム１による処理の流れを再度、説明する。図５は、ハンズフリーシステム１の構成と情報の流れを説明するための構成図である。なお、図５においては、図面を簡単にするために、電話番号データベースの情報の流れの説明に不要な、電話会話に必要な構成要素等は図示していない。
【００３７】
図５に示すように、情報保護システムであるハンズフリーシステム１の第１の電子機器である携帯電話機２と、第２の電子機器であるハンズフリー装置３とは、互いに接続可能とするための入力部１１Ｂ、４０Ｂおよび出力部１１Ｃ、４０Ｃを有している。そして、携帯電話機２の第１の情報格納部であるメモリ３２に格納された電話番号データベースのＩＤと関連付けられたデータは、第１の出力部４０Ｃおよび入力部１１Ｂを介してハンズフリー装置３に送信される。ハンズフリー装置３の選択部１３Ｂは、携帯電話機２から送信されてきた電話番号データベースのデータの中から名前とＩＤのみを選択し、ハンズフリー装置３の第２の情報格納部であるメモリ１２に格納する。
【００３８】
ユーザが、名前表示部１８Ｂに表示された名前を、指定部１９Ｂで指定すると、第２の検索部である検索部１３Ｃは、指定された名前と関連付けられたＩＤを検索する。そして、第２の出力部である出力部１１Ｃは、検索されたＩＤのみを携帯電話機２に出力する。携帯電話機２は入力部４０Ｂを介して入力されたＩＤと関連付けられた電話番号を第１の検索部である検索部３３Ｂで検索し、検索された電話番号に処理部である電話通信部３１を用いて発信処理する。
【００３９】
次に、図６を用いて、ハンズフリーシステム１と類似の機能を有する情報保護システム１Ｂについて説明する。図６は、情報保護システム１Ｂの構成と情報の流れを説明するための構成図である。
【００４０】
情報保護システム１Ｂは、互いに接続可能な第１の電子機器２Ｂと第２の電子機器３Ｂとから構成されている。第１の電子機器２Ｂは、第１の情報格納部３２Ｂに、ＩＤと、ＩＤと関連付けられた情報漏洩を防止したい項目を含む複数の項目のデータ、とから構成されたデータベースの情報を格納している。例えば、データベースとしては、電話番号データベースであり、特定のＩＤに関連付けられた名前、電話番号、住所および生年月日の項目のそれぞれのデータから構成されている。ここで、情報漏洩を防止したい項目は電話番号、住所および生年月日である。そして、第１の電子機器２Ｂは、第１の出力部から、ＩＤおよびＩＤと関連付けられたデータを、第２の電子機器３Ｂに出力する。
【００４１】
第２の電子機器３Ｂの入力部には、第１の電子機器２Ｂの第１の出力部（不図示）から、出力された、ＩＤおよびＩＤと関連付けられたデータが、接続回線を通じて入力される。第２の電子機器３Ｂの選択部１３Ｂは、入力されたデータから、情報漏洩を防止したい項目ではない項目のデータのみを選択し、第２の情報格納部１２Ｂに関連付けられたＩＤとともに格納する。すなわち、名前データとＩＤのみが第２の情報格納部１２Ｂに格納される。
【００４２】
そして、第２の電子機器３Ｂの指定部１８Ｃにおいて、情報漏洩を防止したい項目ではない項目のデータの中から、一のデータが指定されると、第２の検索部１３Ｃは、指定されたデータと関連付けられたＩＤを検索し、第２の出力部（不図示）は、検索されたＩＤを、第１の電子機器２Ｂに出力する。
【００４３】
すると、第１の電子機器２Ｂの第１の検索部３３Ｃは、第２の電子機器３Ｂから入力されたＩＤからＩＤと関連付けられた情報漏洩を防止したい項目のデータを検索し、処理部３１Ｂは、情報漏洩を防止したい項目のデータを用いて予め指定された処理、例えば電話発信を行う。
【００４４】
情報保護システム１Ｂの第２の電子機器３Ｂの第２の情報格納部１２Ｂには、情報漏洩を防止したい項目のデータが格納されていないために、第２の電子機器３Ｂが盗難等にあっても情報漏洩を防止したい項目の情報漏洩を防止することができる。
【００４５】
＜第２の実施の形態＞  
以下、図面を参照して本発明の第２の実施の形態のハンズフリーシステム１Ｃおよびハンズフリー装置３Ｃを説明する。ハンズフリーシステム１Ｃおよびハンズフリー装置３Ｃは、第１の実施の形態のハンズフリーシステム１およびハンズフリー装置３と類似しているため、同じ構成要素には同じ符号を付し、説明は省略する。
【００４６】
図７は、携帯電話機２とハンズフリー装置３Ｃとを具備した本実施の形態にかかるハンズフリーシステム１Ｃの構成を示した構成図であり、図８はハンズフリーシステム１Ｃの携帯電話機２およびハンズフリー装置３Ｃの構成と動作の流れを説明するための説明図である。
【００４７】
図７に示すように、携帯電話機２は、ハンズフリーシステム１の携帯電話機２と同じである。これに対して、ハンズフリー装置３Ｃは、音素列変換部である情報変換部２０を有し、情報変換部２０は、制御部１３内の選択部が選択した名前データを、音素列である名前音素列データに変換する。ここで、音素列データとは、例えば、SAMPA（Speech Assessment Methods Phonetic Alphabet）のような音声記号である。SAMPAとは、国際音声記号を元に作られた、コンピューター画面上に表示可能な７ビットのASCＩＩ文字のみで表現された音声記号の形式のデータである。音素列としては、他の形式の音声記号、例えば、拡張SAM音声記号（X-SAMPA：Extended SAM Phonetic Alphabet）、発音記号等、公知の音声記号を用いることができる。そして、第２の情報格納部であるメモリ１２には、名前音素列データおよび関連付けられたＩＤのみが格納される。
【００４８】
ユーザが、ハンズフリー装置３Ｃを用いて、電話回線接続を行う相手の名前を指定するには、音声入出力部であるマイク１５を用いて、名前を音声入力する。すると、音声認識部を有する音声処理部１４Ｂが、入力された音声データから名前音素列データを認識し、制御部１３内の第２の検索部が、音声認識部が認識した名前音素列データと関連付けられたＩＤを検索する。そして、ハンズフリー装置３Ｃの第２の出力部である通信ＩＦ部１１は、制御部３３内の第２の検索部が検索したＩＤを携帯電話機２に出力する。ＩＤが入力された携帯電話機２の動作は第１の実施の形態と同じである。
【００４９】
名前データベースの名前データは、漢字やアルファベットで表記されたデータ形式であるため、漏洩してしまった際に、比較的容易に２次利用される可能性もある。しかし、名前音素列は、音声認識技術の分野では周知のデータ形式であるが、当該分野の専門家でない一般の多くの人間にとっては、なじみのないデータ形式である。また、名前音素列データは、漢字やアルファベットで表記されたデータに比べると、含まれる情報の質は大幅に低下する。このため、ハンズフリーシステム１Ｃにおいては、ハンズフリー装置３Ｃから仮に情報が漏洩しても他の用途に転用されることを防止できる。このため、ハンズフリーシステム１Ｃおよびハンズフリー装置３Ｃは、ハンズフリーシステム１およびハンズフリー装置３が有する効果に加えて、もし情報漏洩してもユーザ等に悪影響が及ぶことを防止できる。
【００５０】
次に、図８を用いて、ハンズフリーシステム１Ｃによる処理の流れを再度、説明する。図８は、ハンズフリーシステム１Ｃの構成と情報の流れを説明するための構成図である。
【００５１】
図８に示すように、情報保護システムであるハンズフリーシステム１Ｃの、第１の電子機器である携帯電話機２と、第２の電子機器であるハンズフリー装置３Ｃとは、互いに接続可能とするための入力部１１Ｂ、４０Ｂおよび出力部１１Ｃ、４０Ｃを有している。そして、携帯電話機２の第１の情報格納部であるメモリ３２に格納された電話番号データベースのＩＤと関連付けられたデータは、第１の出力部４０Ｃおよび入力部１１Ｂを介してハンズフリー装置３に送信される。ハンズフリー装置３の選択部１３Ｂは、携帯電話機２から送信されてきた電話番号データベースのデータの中から名前とＩＤのみを選択し、音素列変換部である情報変換部２０は、名前データを音素列データに変換してから、ハンズフリー装置３Ｃの第２の情報格納部であるメモリ１２に格納する。
【００５２】
ユーザが、マイク１５から音声入力した情報は、音声認識部１４Ｃで音素列データとして認識され、第２の検索部である検索部１３Ｃは、認識された名前音素列データと関連付けられたＩＤを検索する。そして、第２の出力部である出力部１１Ｃは、検索されたＩＤのみを携帯電話機２に出力する。携帯電話機２は入力部４０Ｂを介して入力されたＩＤと関連付けられた電話番号を第１の検索部である検索部３３Ｂで検索し、検索された電話番号に処理部である電話通信部３１を用いて発信する。
【００５３】
次に、図９を用いて、ハンズフリーシステム１Ｃと類似の機能を有する情報保護システム１Ｄについて説明する。図９は、情報保護システム１Ｄの構成と情報の流れを説明するための構成図である。情報保護システム１Ｄは、情報保護システム１Ｂと類似しているため、同じ構成要素には同じ符号を付し、説明は省略する。
【００５４】
情報保護システム１Ｄは互いに接続可能な第１の電子機器２Ｄと第２の電子機器３Ｄとからなる。第１の電子機器２Ｄは、ＩＤとＩＤと関連付けられた情報の漏洩を防止したい項目とを含む複数の項目のデータ、とから構成されたデータベースの情報を格納する第１の情報格納部３２Ｂと、ＩＤおよびＩＤと関連付けられたデータを、第２の電子機器３Ｄに出力する第１の出力部（不図示）と、第２の電子機器３Ｄから入力されたＩＤからＩＤと関連付けられた情報漏洩を防止したい項目のデータを検索する第１の検索部３３Ｃと、第１の検索部が検索したデータを用いて予め指定された処理を行う処理部３１Ｂとを有する。
【００５５】
そして、第２の電子機器３Ｄは、第１の出力部からのＩＤとデータとが入力される入力部（不図示）と、入力部から入力されたデータから、情報漏洩を防止したい項目ではない項目のデータのみを選択する選択部１３Ｂと、選択部１３Ｂで選択されたデータを異なる形式のデータに変換する情報変換部２０Ｂと、異なる形式のデータと、異なる形式のデータと関連付けられたＩＤとを格納する第２の情報格納部１２Ｂと、情報漏洩を防止したい項目ではない項目のデータの中から、一のデータが、異なる形式で指定される指定部１８Ｃと、指定部で指定されたデータと関連付けられたＩＤを検索する第２の検索部１３Ｃと、第２の検索部が検索したＩＤを第１の電子機器２Ｄに出力する第２の出力部（不図示）とを有する。
【００５６】
第２の電子機器３Ｄの情報格納部に格納されているデータは、変換前のデータに比べて情報の質が変化した変換されたデータである。このため、情報保護システム１Ｄにおいては、第２の電子機器３Ｄから仮に情報が漏洩しても他の用途に転用されることを防止できる。このため、情報保護システム１Ｄは、情報保護システム１Ｂが有する効果に加えて、より情報の安全性が高い。
【００５７】
本発明は、上述した実施の形態に限定されるものではなく、本発明の要旨を変えない範囲において、種々の変更、改変等が可能である。例えば、情報保護システム１Ｂ、１Ｄとしてハンズフリーシステムを例に説明したが、ハンズフリーシステムに限定されるものではなく、保護情報を送受信する各種システムにおいても、同様の作用効果を奏することができる。
【図面の簡単な説明】
【００５８】
【図１】第１の実施の形態にかかるハンズフリーシステムの外観を示した外観図である。
【図２】第１の実施の形態にかかるハンズフリーシステムにおける情報の流れを示す説明図である。
【図３】第１の実施の形態にかかるハンズフリーシステムの構成を示す構成図である。
【図４】第１の実施の形態にかかる携帯電話機およびハンズフリー装置の動作の流れを説明するためのフローチャートである。
【図５】第１の実施の形態にかかるハンズフリーシステムの構成と情報の流れを説明するための構成図である。
【図６】情報保護システムの構成と情報の流れを説明するための構成図である。
【図７】第２の実施の形態にかかるハンズフリーシステムの構成を示す構成図である。
【図８】第２の実施の形態にかかる携帯電話機およびハンズフリー装置の動作の流れを説明するためのフローチャートである。
【図９】情報保護システムの構成と情報の流れを説明するための構成図である。
【図１０】公知のハンズフリーシステムにおける情報の流れを示す説明図である。
【符号の説明】
【００５９】
１…ハンズフリーシステム、１Ｂ…情報保護システム、１Ｃ…ハンズフリーシステム、１Ｄ…情報保護システム、１Ｅ…ハンズフリーシステム、２…携帯電話機、２Ｂ…電子機器、２Ｄ…電子機器、３…ハンズフリー装置、３Ｂ…電子機器、３Ｃ…ハンズフリー装置、３Ｄ…電子機器、１０…アンテナ、１１…通信インターフェイス部、１１Ｂ…入力部、１１Ｃ…出力部、１２…メモリ、１２Ｂ…情報格納部、１３…制御部、１３Ｂ…選択部、１３Ｃ…検索部、１４…音声処理部、１４Ｂ…音声処理部、１４Ｃ…音声認識部、１５…マイク、１６…スピーカ、１７…画像処理部、１８…表示部、１８Ｂ…名前表示部、１８Ｃ…指定部、１９…操作入力部、１９Ｂ…指定部、２０…情報変換部、２０Ｂ…情報変換部、３０…アンテナ、３１…電話通信部、３１Ｂ…処理部、３２…メモリ、３２Ｂ…情報格納部、３３…制御部、３３Ｂ…検索部、３３Ｃ…検索部、３４…音声処理部、３５…マイク、３６…スピーカ、３７…画像処理部、３８…表示部、３９…操作入力部、４０…通信インターフェイス部、４０Ｂ…入力部、４０Ｃ…出力部、４１…アンテナ、１０２…携帯電話機、１０３…ハンズフリー装置、１１２…メモリ、１３２…メモリ
【図１】
2009284173.tif 000003
【図２】
2009284173.tif 000004
【図３】
2009284173.tif 000005
【図４】
2009284173.tif 000006
【図５】
2009284173.tif 000007
【図６】
2009284173.tif 000008
【図７】
2009284173.tif 000009
【図８】
2009284173.tif 000010
【図９】
2009284173.tif 000011
【図１０】
2009284173.tif 000012